(57)【要約】【課題】設置性の向上を図るとともに、蓋体を開放するだけで、洗浄槽内の食器類を前方および側方から容易に取出すことができる使い勝手の優れた食器洗い機を提供する。【解決手段】上部に開口部８を設けた洗浄槽７と、前記洗浄槽７に設けた一対の軸受け部１１に回動自在に軸支され前記開口部８を覆う第１、第２の蓋体１６、１７とを備え、前記開口部８の少なくとも上部を前下がり状に傾斜させたもので、第１、第２の蓋体１６、１７の開放による前面の設置空間をなくし、設置性の向上を図るとともに、第１、第２の蓋体１６、１７を開放するだけで、洗浄槽７内に収容された食器類９を前方および側方から容易に取出しできる使い勝手の優れた食器洗い機を提供することができる。【選択図】図１
2006167022.tif 000002
【特許請求の範囲】
【請求項１】
上部に開口部を設けた洗浄槽と、前記洗浄槽に設けた一対の軸受け部に回動自在に軸支され前記開口部を覆う２枚の蓋体とを備え、前記開口部の少なくとも上部を前下がり状に傾斜させた食器洗い機。
【請求項２】
開口部の左右両側部を略直線状に形成した請求項１に記載の食器洗い機。
【請求項３】
開口部の左右両側部に軸受け部を形成し、前記左右両側部の軸受け部以外の部分を略直線状に形成した請求項２に記載の食器洗い機。
【請求項４】
開口部の左右両側部を凹状の略円弧状に形成した請求項１に記載の食器洗い機。
【請求項５】
開口部の左右両側部に軸受け部を形成し、前記左右両側部の軸受け部以外の部分を凹状の略円弧状に形成した請求項４に記載の食器洗い機。
【請求項６】
食器類を収納する食器収容部を有する食器かごを備え、開口部の上端を、前記食器収容部の後端より後方に位置させた請求項１〜５のいずれか１項に記載の食器洗い機。
【請求項７】
食器類を収納する食器収容部を有する食器かごを備え、開口部の開成時に、２枚の蓋体が前記食器収容部の後端より後方に収容されるようにした請求項１〜５のいずれか１項に記載の食器洗い機。
【発明の詳細な説明】
【技術分野】
【０００１】
本発明は、食器等の洗浄および乾燥を行う食器洗い機に関するものである。
【背景技術】
【０００２】
従来の、この種の食器洗い機は、図５に示すように構成されていた。以下、その構成について説明する。
【０００３】
図５において、食器洗い機本体１内に、前面に開口部４を有すると共に食器類２を収容する洗浄槽３が配され、この開口部４は、上下に分割された上蓋体５ａと下蓋体５ｂからなる蓋体５により開閉されると共に、洗浄槽３の底部には、洗浄水を噴射する洗浄ノズル６が回転自在に配設されている。
【０００４】
食器洗い機の基本的な動作は、一般的によく知られているので、以下に簡単に述べると、使用者が蓋体５を開放する。このとき食器洗い機本体１内の洗浄槽３に配置された食器かご２ａは、前面に開放した下蓋体５ｂの上面に沿って引き出すことができ、汚れた食器類２をセットする。
【０００５】
つぎに、蓋５を閉め、運転を開始すると、洗浄槽３の底部に配置されたヒータ（図示なし）によって洗浄水が加熱され、加熱された洗浄水が洗浄ノズル６から食器類２に向かって噴射され、食器類２の汚れを落とす洗浄行程を行う。その後、食器類２をすすいだ後、乾燥行程を行って運転を終了する（例えば、特許文献１参照）。
【特許文献１】特開２００１−２７５９１５号公報
【発明の開示】
【発明が解決しようとする課題】
【０００６】
しかしながら、このような従来の食器洗い機の構成では、洗浄槽３の奥に収容された食器類２は、開口部４からの取出しが容易でないため、下蓋体５ｂの上面に食器かごを引き出す手間がかかるのと、下蓋体５ｂを開放するための設置空間が食器洗い機本体１の前面に必要になるため、設置の際に所定の空間が余分に必要になるという課題を有していた。
【０００７】
本発明は、上記従来の課題を解決するもので、蓋体開放の為の前面の設置空間をなくし、設置性の向上を図るとともに、蓋体を開放するだけで、洗浄槽内に収容された食器類を前方および側方から容易に取出すことができる使い勝手の優れた食器洗い機を提供することを目的とする。
【課題を解決するための手段】
【０００８】
前記従来の課題を解決するために、本発明の食器洗い機は、上部に開口部を設けた洗浄槽と、前記洗浄槽に設けた一対の軸受け部に回動自在に軸支され前記開口部を覆う２枚の蓋体とを備え、前記開口部の少なくとも上部を前下がり状に傾斜させたもので、蓋体開放の為の前面の設置空間を不要とし、設置性の向上を図るとともに、蓋体を開放するだけで、洗浄槽内に収容された食器類を前方および側方から容易に取出すことができる使い勝手の優れた食器洗い機を提供することができる。
【発明の効果】
【０００９】
本発明の食器洗い機は、蓋体開放の為の前面の設置空間を不要とし、設置性の向上を図るとともに、蓋体を開放するだけで、洗浄槽内に収容された食器類を前方および側方から容易に取出すことができる使い勝手の優れたものである。
【発明を実施するための最良の形態】
【００１０】
第１の発明は、上部に開口部を設けた洗浄槽と、前記洗浄槽に設けた一対の軸受け部に回動自在に軸支され前記開口部を覆う２枚の蓋体とを備え、前記開口部の少なくとも上部を前下がり状に傾斜させたもので、蓋体開放の為の前面の設置空間を不要とし、設置性の向上を図るとともに、蓋体を開放するだけで、洗浄槽内に収容された食器類を前方および側方から容易に取出すことができる使い勝手の優れた食器洗い機を提供することができる。
【００１１】
第２の発明は、特に、第１の発明の開口部の左右両側部を略直線状に形成したもので、側方から食器類をセットする際に余計な突出部がなく、より食器類の取出しを容易にすることができる。
【００１２】
第３の発明は、特に、第２の発明の開口部の左右両側部に軸受け部を形成し、前記左右両側部の軸受け部以外の部分を略直線状に形成したもので、開口部の大きさを、軸受け部を中心とした直径と同じ大きさにすることができ、より食器類のセットを容易にすることができる。
【００１３】
第４の発明は、特に、第１の発明の開口部の左右両側部を凹状の略円弧状に形成したもので、食器類をセットする際に、前方側面からの食器類の取出しをより容易にすることができる。
【００１４】
第５の発明は、特に、第４の発明の開口部の左右両側部に軸受け部を形成し、前記左右両側部の軸受け部以外の部分を凹状の略円弧状に形成したもので、開口部の大きさを、軸受け部を中心とした直径と同じ大きさにしつつ、食器類をセットする際に、前方側面からの食器類の取出しをより容易にすることができる。
【００１５】
第６の発明は、特に、第１〜５のいずれか一つの発明の食器類を収納する食器収容部を有する食器かごを備え、開口部の上端を、前記食器収容部の後端より後方に位置させたもので、食器類のセットの際に、開口部の上端が邪魔することなく容易に作業することができる。
【００１６】
第７の発明は、特に、第１〜５のいずれか一つの発明の食器類を収納する食器収容部を有する食器かごを備え、開口部の開成時に、２枚の蓋体が前記食器収容部の後端より後方に収容されるようにしたもので、食器類のセットの際に、蓋体が邪魔することなく容易に作業することができる。
【００１７】
以下、本発明の実施の形態について、図面を参照しながら説明する。なお、この実施の形態により、本発明が限定されるものでは無い。
【００１８】
（実施の形態１）
図１は、本発明の実施の形態１における食器洗い機の斜視図、図２は、同食器洗い機の側断面図、図３は、同食器洗い機の要部断面図である。
【００１９】
図１、図２に示すように、食器洗い機本体３０の洗浄槽７は、上方に開口部８を有し、開口部８より食器類９を収容する食器かご１０を設けるようになっている。洗浄槽７の左右に一対の軸受け部１１を形成している。開口部８を、前下がりに傾斜させつつ、左右両側部１２の上端で、開口部８の上端１３と下端１４を略直線状に連結し、上端１３を食器かご１０の食器収容部１０ａの後端１５より後方になるよう配設している。また、軸受け部１１の中心を、開口部８の上端１３と下端１４とを結ぶ直線より上方に配置している。
【００２０】
また、軸受け部１１を支点として回動自在に開口部８を覆う２枚の蓋体、即ち第１の蓋体１６と第２の蓋体１７とを設け、第１の蓋体１６は、洗浄槽７の前面を覆い、第１の蓋体１６より軸半径の小さい第２の蓋体１７は、洗浄槽７の上部を覆うように配置されており、第２の蓋体１７の前端は、開口部８の閉成時に、第１の蓋体１６に設けた第１の係止部１８で係止され、第２の蓋体１７の後端に設けた第２の係止部１９が開口部８の上端に係止するようになっている。
【００２１】
また、第１の蓋体１６、第２の蓋体１７のそれぞれは、開口部８より洗浄槽７の後部へ回転し、さらに２枚が重なり合って、食器かご１０の食器収容部１０ａの後端１５より後方に収容される。
【００２２】
また、図３に示すように、軸受け部１１は、洗浄槽７に設けた軸受け部１１ａと、それに外側から順に回転自在に取付けられる第２の蓋体１７に設けた軸受け部１１ｂと、第１の蓋体１６に設けた１１ｃと、抜け止め用の枢軸２０で構成されている。洗浄槽７の底部には、洗浄水を噴射する洗浄ノズル２１が回転自在に配設されている。
【００２３】
上記構成による食器洗い機の、動作、作用を以下に説明する。
【００２４】
食器類９の収容時に、第１の蓋体１６と第２の蓋体１７は、洗浄槽７の後部に重なり合うと共に、洗浄ノズル２１や洗浄槽７底部に当接することなく収容され、従来の下蓋体を前方に開放するための前面の設置空間が不要となり、設置性の向上を図りつつ、開口部８が前下がりに傾斜しているため、前方から食器類９をセットする際に、シンク（図示せず）からの動線を損なうことなく、食器類９の取出し、収容の作業性を向上することができる。
【００２５】
また、開口部８の左右両側部１２を略直線としたことにより、側方から食器類９をセットする際に余計な突出部がなく、より食器類９の取出しを容易にすることができる。
【００２６】
また、軸受け部１１の中心を、開口部８の上端１３と下端１４とを結ぶ直線より上方に配置し、その軸受け部１１を除いて開口部８の上端１３と下端１４とを略直線で結んでいるため、開口部８の大きさを、軸受け部１１を中心とした直径と同じ大きさ、つまり最大にすることができ、前方側面からの食器類９のセットをより容易にすることができ、また、前方側面の高さを低くし、通常、食器類９のセットを行うことが多い前方側面からの作業をより容易にすることができる。
【００２７】
また、開口部８の上端１３は、食器かご１０の食器収容部１０ａの後端１５より後部にあるため、食器類９のセットの際に開口部８の上端１３が邪魔することなくより容易に作業することができる。
【００２８】
また、開成時に、第１、第２の蓋体１６、１７が、食器かご１０の食器収容部１０ａの後端１５より後部に収容されるので、食器類９のセットの際に第１、第２の蓋体１６、１７が邪魔することなくより容易に作業することができる。
【００２９】
なお、上記実施の形態では、左右両側部１２の全体に渡って前下がり状に形成したが、上部のみ前下がり状に形成しても良い。
【００３０】
（実施の形態２）
図４は、本発明の第２の実施の形態における食器洗い機の開口部の開閉時の断面図である。なお、上記実施の形態と同一部分については、同一符号を付してその説明を省略する。
【００３１】
図４に示すように、洗浄槽２２は、上方に開口部２３を設け、左右に一対の軸受け部２４を形成している。開口部２３は、前下がりに傾斜し、開口部２３の上端２６と下端２７とを結ぶ左右両側部２５を凹状の略円弧状に形成し、軸受け部２４を、左右両側部２５より上方に配置している。
【００３２】
また、軸受け部２４を支点として回動自在に開口部２３を覆う第１の蓋体２８と、第２の蓋体２９とを設け、第１の蓋体２８で洗浄槽２２の前面を覆い、第１の蓋体２８より軸半径の小さい第２の蓋体２９で、洗浄槽２２の上部を覆うようにしている。他の構成は上記実施の形態１と同じである。
【００３３】
上記構成による食器洗い機の動作、作用について説明する。
【００３４】
開口部２３の上端２６と下端２７とを結ぶ左右両側部２５を凹状の略円弧状としているため、第１、第２の蓋体２８、２９の開放時に、軸受け部２４より前方側面を、上端２６と下端２７とを結ぶ直線より低くすることができるため、通常、食器類９のセットを行うことが多い前方側面からの作業をより容易にすることができる。
【００３５】
また、軸受け部２４の中心を、左右両側部２５より上方に配置し、その軸受け部２４を除いて開口部２３の上端２６と下端２７とを凹状の略円弧状に結んでいるため、開口部２３の大きさを、軸受け部２４を中心とした直径と同じ大きさにすることができ、食器類９のセットをより容易にすることができ、また、前方側面の高さをより低くし、通常、食器類９のセットを行うことが多い前方側面からの作業をより容易にすることができる。
【００３６】
このように、本実施の形態によれば、上方に開口部２３を設けた洗浄槽２２と、前記洗浄槽２２に設けた一対の軸受け部２４に回動自在に軸支され開口部２３を覆う第１、第２の蓋体２８、２９とを備え、前記開口部２３は、前記第１、第２の蓋体２８、２９の開成時に上部が前下がりに傾斜するよう構成したことにより、第１、第２の蓋体２８、２９の開放による前面の設置空間を不要にし、設置性の向上を図るとともに、第１、第２の蓋体２８、２９を開放するだけで、洗浄槽２２内に収容された食器類９を前方および側方から容易に取出すことができる使い勝手の優れた食器洗い機を提供することができる。
【００３７】
また、開口部２３の左右両側部を凹状の略円弧状としたことにより、食器類９をセットする際に、前方側面からの食器類の取出しをより容易にすることができる。
【００３８】
また、開口部２３の左右両側部２５は軸受け部２４を除いて凹状の略円弧状としたことにより、開口部２３の大きさを、軸受け部２４を中心とした直径と同じ大きさにしつつ、食器類９をセットする際に、前方側面からの食器類９の取出しをより容易にすることができる。
【００３９】
また、洗浄槽２２に食器類９を収納する食器かご１０を備え、開口部２３の上端２６を、食器かご１０の食器収容部１０ａの後端１５より後部に構成したことにより、食器類９の収容時に開口部２３の上端２６が邪魔することなく容易に作業することができる。
【００４０】
また、開口部２３の開成時には、第１、第２の蓋体２８、２９は、食器かご１０の食器収容部１０ａの後端より後方に収容されることにより、食器類９の収容時に第１、第２の蓋体２８、２９が邪魔することなく容易に作業することができる。
【産業上の利用可能性】
【００４１】
以上のように、本発明にかかる食器洗い機は、蓋体開放の為の前面の設置空間が不要で、設置性に優れ、また、蓋体を開放するだけで、洗浄槽内に収容された食器類を前方および側方から容易に取出すことができる使い勝手の優れたもので、食器洗い機に限らず、衣類洗濯機など他の洗浄機器にも適用できる。
【図面の簡単な説明】
【００４２】
【図１】本発明の実施の形態１における食器洗い機の斜視図
【図２】（ａ）同食器洗い機の蓋閉成時の側断面図（ｂ）同食器洗い機の蓋開成時の側断面図
【図３】同食器洗い機の要部断面図
【図４】（ａ）本発明の実施の形態２における食器洗い機の蓋閉成時の側断面図（ｂ）同食器洗い機の蓋開成時の側断面図
【図５】従来の食器洗い機の側断面図
【符号の説明】
【００４３】
７、２２  洗浄槽
８  開口部
９  食器類
１１  軸受け部
１６、２８  第１の蓋体（蓋体）
１７、２９  第２の蓋体（蓋体）
３０  食器洗い機本体
【図１】
2006167022.tif 000003
【図２】
2006167022.tif 000004
【図３】
2006167022.tif 000005
【図４】
2006167022.tif 000006
【図５】
2006167022.tif 000007